Podtech/llm-jp-corpus-v4-ja_patent huggingface dataset:
(57)【要約】【課題】燃焼室の内周面の接線方向に向けて燃料と酸素含有ガスを吹き込んで管状火炎を形成させる管状火炎バーナであって、コンパクトな脱硫を行うことができるようにした管状火炎バーナを提供する。【解決手段】燃焼室１０の後端の管軸中央部に、燃焼室１０にＳＯｘと中和反応させる中和材を吹き込むための中和材吹き込みノズル１３が設けられている。中和材吹き込み用ノズル１３は、その中心に点火プラグ１４が設けられ、点火プラグ１４の周囲の間隙から中和材が吹き込まれるようになっている。【選択図】            図１
2004257672.tif 000002
【特許請求の範囲】
【請求項１】
先端が開放された管状の燃焼室と、ノズル噴射口が前記燃焼室の内面に開口し、噴射方向が燃焼室内周面の接線方向とほぼ一致している燃料吹き込みノズル及び酸素含有ガス吹き込みノズルを備えた管状火炎バーナにおいて、前記燃焼室に硫黄酸化物と中和反応させる中和材を吹き込むための中和材吹き込みノズルを備えていることを特徴とする管状火炎バーナ。
【請求項２】
中和材吹き込みノズルは、前記燃焼室の後端の管軸中央部に設けられていることを特徴とする請求項１記載の管状火炎バーナ。
【発明の詳細な説明】
【０００１】
【発明の属する技術分野】
本発明は、炉や燃焼器に取り付ける管状火炎バーナに関するものである。
【０００２】
【従来の技術】
炉や燃焼器に取り付けられるバーナとして、管状火炎バーナと呼ばれる、先端が開放された管状の燃焼室を有し、この燃焼室の後端の閉塞端部近傍に燃料ガスを吹き込むノズルと酸素含有ガスを吹き込むノズルが、前記燃焼室の内周面の接線方向に向けて設けられているバーナが知られている（例えば、特許文献１参照。）。
【０００３】
この管状火炎バーナは、吹き込まれた燃料ガスと酸素含有ガスが高速乱流混合状態となって均一に混合されることや連続した火炎帯を通過することから、ＮＯｘやＳＰＭ（浮遊粒子状物質）の発生を低く抑えることができるバーナである。
【０００４】
【特許文献１】
特開平１１−２８１０１５号公報
【０００５】
【発明が解決しようとする課題】
上記の特許文献１記載の管状火炎バーナについては、ＮＯｘやＳＰＭの発生を低く抑えることができることが示されているが、硫黄酸化物（ＳＯｘ）の排出を抑えることについては特に述べられていない。
【０００６】
一般に、ＳＯｘの排出を抑える方法としては湿式脱硫法と乾式脱硫法があり、前者はアルカリ溶液を排煙中に散布しＳＯｘを吸収・回収する方法で、後者は固体表面への吸着、吸収によりＳＯｘを除去する方法である。
【０００７】
しかし、湿式脱硫法は高い脱硫率を示すが、排ガス温度が低下して煙突からの煙の上昇が悪くなるので、脱硫後にアフタバーナを付けて排ガス温度を上昇させる必要がある場合がある。
【０００８】
一方、乾式脱硫法は温度低下が少ないためアフタバーナを要しないが、脱硫率をあげるためには装置が大がかりとなり再生装置を要するなど設備費が高くなる。
【０００９】
本発明は、上記のような事情に鑑みて、炉等に取り付ける管状火炎バーナであって、コンパクトな脱硫を行うことができる管状火炎バーナを提供することを目的とするものである。
【００１０】
【課題を解決するための手段】
上記の課題を解決するために、本発明は以下の特徴を有する。
【００１１】
［１］先端が開放された管状の燃焼室と、ノズル噴射口が前記燃焼室の内面に開口し、噴射方向が燃焼室内周面の接線方向とほぼ一致している燃料吹き込みノズル及び酸素含有ガス吹き込みノズルを備えた管状火炎バーナにおいて、前記燃焼室に硫黄酸化物と中和反応させる中和材を吹き込むための中和材吹き込みノズルを備えていることを特徴とする管状火炎バーナ。
【００１２】
［２］中和材吹き込みノズルは、前記燃焼室の後端の管軸中央部に設けられていることを特徴とする前記［１］記載の管状火炎バーナ。
【００１３】
【発明の実施の形態】
本発明の一実施形態を以下に示す。
【００１４】
図１は、本発明の一実施形態に係る管状火炎バーナを示す縦断面図である。図１において、１がこの実施形態に係る管状火炎バーナであり、先端部が炉２に取り付けられている。
【００１５】
管状火炎バーナ１は、先端が炉２内に向かって開放された管状の燃焼室１０と、燃焼室１０の後端部近傍の外周面に燃料吹き込みノズル１１と、酸素含有ガス吹き込みノズル１２とを備えている。燃料吹き込み用ノズル１１は、燃焼室１０の周方向に所定本数配され、噴射口が燃焼室１０の内面に開口し、噴射方向が燃焼室１０の内周面の接線方向とほぼ一致している。酸素含有ガス吹き込みノズル１２も、燃焼室１０の周方向に所定本数配され、噴射口が燃焼室１０の内面に開口し、噴射方向が燃焼室１０の内周面の接線方向とほぼ一致している。
【００１６】
なお、吹き込む燃料は、ガス燃料あるいは液体燃料を使用する。また、酸素含有ガスは、空気、酸素、酸素富化空気、酸素・排ガス混合ガスなど燃焼用の酸素を供給するガスを指している。
【００１７】
そして、燃焼室１０の後端の管軸中央部に、燃焼室１０にＳＯｘと中和反応させる中和材を吹き込むための中和材吹き込みノズル１３が設けられている。中和材吹き込み用ノズル１３は、その中心に点火プラグ１４が設けられ、点火プラグ１４の周囲の間隙から中和材が吹き込まれるようになっている。中和材を吹き込む際には、粉末状の中和材を空気流に乗せて吹き込むか、中和材のエマルジョンを高圧水で吹き込むようになっている。
【００１８】
このような構成の管状火炎バーナを用いて燃焼を行う場合は、燃料吹き込みノズル１１から燃料が燃焼室１０の内周面の接線方向に向かって高速で吹き込まれ、酸素含有ガス吹き込みノズル１２から酸素含有ガスが燃焼室１０の内周面の接線方向に向かって高速で吹き込まれ、燃焼室１０の内周面に近い領域で燃料と酸素含有ガスが効率良く混合されながら旋回流が形成されるようになっている。その旋回流となった混合ガスに点火プラグ１４によって点火すると、燃焼室１０内に管状の火炎が生成される。
【００１９】
そして、燃焼室１０の後端の管軸中心に設けられた中和材吹き込み用ノズル１３から、燃焼室１０内に形成された管状火炎の中心に向けて、ＳＯｘと中和反応させる中和材が吹き込まれる。中和材としては、石灰（ＣａＯ、Ｃａ（ＯＨ）２）等のアルカリ材を用いる。これによって、管状火炎の領域において中和材がＳＯｘと反応・重合し、ＳＯｘの発生が抑制される。
【００２０】
さらに、中和材吹き込み時に、適度なスワールをかけると、中和材とＳＯｘとの一層良好な反応・重合が可能となる。
【００２１】
このように、この実施形態においては、管状火炎バーナの燃焼室１０の後端に中和材吹き込み用ノズル１３を設け、燃焼室１０内に形成された管状火炎に向けて、ＳＯｘと中和反応させる中和材を吹き込むようにしているので、コンパクトな脱硫を行うことができる。
【００２２】
【発明の効果】
本発明の管状火炎バーナは、ＳＯｘと中和反応させる中和材を吹き込むための中和材吹き込みノズルを備えているので、コンパクトな脱硫を行うことができる。
【図面の簡単な説明】
【図１】本発明の一実施形態に係る管状火炎バーナの縦断面図である。
【符号の説明】
１  管状火炎バーナ
２  炉
１０  燃焼室
１１  燃料吹き込みノズル
１２  酸素含有ガス吹き込みノズル
１３  中和材吹き込みノズル
１４  点火プラグ
【図１】
2004257672.tif 000003
(57)【要約】【課題】載せたやかんのチンチン音を出さないストーブ【解決手段】載せたやかんの下面（２）とストーブの上面（４）間に介装するスペーサー（１）を備えているストーブ。【選択図】  図１
2004257659.tif 000002
【特許請求の範囲】
【請求項１】
載せたやかんの下面（２）とストーブの上面（４）間に介装するスペーサー（１）を備えているストーブ。
【発明の詳細な説明】
【０００１】
【発明の属する技術分野】
石油ストーブやガスストーブ上にやかんを載せておくと、じきにお湯が沸いてくる。その時やかんからはチンチンと音を立て始め沸いている間ずっとその音が継続される。本発明はお湯が沸いてもそのチンチン音を発生させないようにするスペーサーを持つストーブである。
【０００２】
【従来の技術】
チンチン音を消す方法としてお湯が沸いた時点でやかんを脇にずらし、直接熱が当たらないようにしていた。
また、追い水をするなど水温を下げる等していた。
【０００３】
【発明が解決しようとする課題】
これらは次のような欠点があった。
（イ）いちいちずらさなければならない。
（ロ）ストーブ上でせっかく沸いたお湯が冷めてしまう。
本発明は、これらの欠点・問題を解決したストーブである。
【０００４】
【課題を解決するための手段】
本発明に係るストーブは、ストーブ上面（４）とやかん下面（２）との間に介装するスペーサを備えたものである。
【０００５】
【発明の実施の形態】
以下，本発明の実施の形態について説明する。
通常、石油ストーブ等にやかんを載せている場合は、燃焼塔（３）の真上にある上板（４）の上に直接載せられる。この時やかん下面とストーブ上板の接する面積は広く、熱せられた上板（４）の熱が直接熱伝導によってやかんに伝えられる。
この時やかん内の水が沸いてくると、やかん内部で気泡が発生し始め、ストーブ上板（４）とやかん下面（２）との間でチンチン音がし始める。
【０００６】
やかん下面（２）とストーブ上面（４）の接触面積を小さくするために、ストーブ上面（４）の平板部分の面積を小さくし、スリット部分を大きくして熱伝導によって伝わる熱量を小さくする。
【０００７】
また、やかん下面（２）とストーブ上面（４）の間に細い金属のスペーサ（１）（例えば網状のものやその他突起物など）を入れ、やかん下面（２）とストーブ上面（４）との間に空気の層を作り、ストーブ上板（４）の熱が直接やかんに伝わらなくする。
【０００８】
やかん下面（２）とストーブ上面（４）の間に細い金属のスペーサ（１）またはスリットはストーブ上面の面積と同じ程度の面積にする。
【０００９】
【発明の効果】
本発明によれば、やかんをずらさずとも耳障りなチンチンという音をたてなくすることができる。
また、金属の網状のものを使う場合、ストーブ上面（４）に直接手を触れて起こす火傷から守ることが可能である。
【図面の簡単な説明】
【図１】実施例のストーブの側面図である。
【図２】図１の要部平面図である。
【符号の説明】
１  スペーサ
２  やかん下面
３  燃焼塔
４  ストーブ上面
５  やかん下面とストーブ上面の接する面
【図１】
2004257659.tif 000003
【図２】
2004257659.tif 000004
(57)【要約】【課題】表面を合成樹脂カバー７で被覆して金属製芯材６を被覆した門扉用縦框２において、門扉機能部品の取付けを正確に行い、合成樹脂カバー７の外観を悪化させない門扉用縦框２を提供する。【解決手段】金属製芯材６の表面を合成樹脂カバー７で被覆した門扉用縦框２であって、門扉用機能部品が取付けられる金属製芯材６の取付縁６１を合成樹脂カバー７で被覆することなく露出させ、該取付縁６１に戸当りプレート、落し棒装置等の門扉用機能部品を取付ける。【選択図】        図１
2004257087.tif 000002
【特許請求の範囲】
【請求項１】
金属製芯材の表面を合成樹脂カバーで被覆した門扉用縦框であって、門扉用機能部品が取付けられる金属製芯材の取付縁を合成樹脂カバーで被覆することなく露出させ、該取付縁に門扉用機能部品を取付けたことを特徴とする門扉用縦框。
【請求項２】
合成樹脂カバーと金属製芯材の取付縁の外側表面を略面一としたことを特徴とする請求項１に記載の門扉用縦框。
【発明の詳細な説明】
【０００１】
【発明の属する技術分野】
この発明は、側部に金属製の縦框を備えた門扉であって、該縦框の表面を合成樹脂カバーで被覆した門扉用縦框に関するものである。
【０００２】
【従来の技術】
従来、アルミニウム製形材からなる金属製芯材の表面に、木目模様を有する合成樹脂カバーを被覆した門扉、フェンス等が知られている（例えば特許文献１参照）。
【０００３】
このような合成樹脂カバーで金属製芯材を被覆した門扉、フェンス等においては、その表面が気温の変化によって熱くなったり、冷たくなったりし難いので、優しい手触りを与えることができる。
また、外側は合成樹脂材料であるにも関わらず、芯材としてアルミニウム形材等の金属材料を使用しているので、合成樹脂カバーにそり等の変形が発生せず、強度、耐久性においても優れている。
【０００４】
しかしながら、このような合成樹脂カバーで被覆された門扉用縦框において、合成樹脂カバーの上から門扉用機能部品を取付けた場合、合成樹脂カバーが変形して門扉機能部品の取付け位置にばらつきが生じたり、合成樹脂カバーが締め付けられて、門扉用機能部品と当接する部分が白化したり、合成樹脂カバーに亀裂が生じる等外観の悪化を招くものであった。
また、門扉用縦框全体を合成樹脂カバーで被覆すると、縦框の寸法がカバーの厚み分だけ変化することになり、門扉用機能部品の寸法も変えなければならず、寸法の異なる門扉用機能部品を用意しなければならないものであった。
【０００５】
【特許文献１】
特開２０００−３５２２２５号公報
【０００６】
【発明が解決しようとする課題】
この発明の目的は、金属製芯材の表面を合成樹脂カバーで被覆した門扉用縦框において、門扉機能部品の取付けを正確に行い、合成樹脂カバーの外観を悪化させない門扉用縦框を提供することである。
【０００７】
【課題を解決するための手段】
本発明者等は、このような事情に鑑み鋭意検討を重ねた結果、金属製芯材の表面を合成樹脂カバーで被覆した門扉用縦框であって、門扉用機能部品が取付けられる金属製芯材の取付縁を合成樹脂カバーで被覆することなく露出させ、該取付縁に門扉用機能部品を取付けたことによって、所期の目的を達成したものである。
【０００８】
さらに、合成樹脂カバーと金属製芯材の取付縁の外側表面を略面一としたことにより、合成樹脂カバーで被覆されている部分と金属が露出している部分に段差を生じることなく、外観を良好なものとすることができる。
【０００９】
【作用】
この発明によれば、門扉用機能部品は金属製芯材の取付縁に直接取付けることができるので、門扉用機能部品の取付け位置にズレが生じることがない。また、金属製芯材と門扉用機能部品の間に合成樹脂カバーが介在しないので、合成樹脂カバーが金属製芯材と門扉用機能部品に締め付けられて、白化を生じたり、亀裂が生じたりすることがない。さらに、合成樹脂カバーを被覆しない門扉の縦框に取付けていた従来の門扉用機能部品をそのまま取付けることができる。
【００１０】
【発明の実施の形態】
以下、発明の実施の形態を実施例に基づき説明する。
図１ないし４は本発明門扉用縦框を適用した門扉１の実施例であり、門扉１は両側に位置する縦框２と上下に位置する横框３によって枠組みされた枠体４を有し、枠体４の中に縦桟５が複数配設されている。
図１は縦框２付近の横断面図であり、縦框２は金属製芯材６と合成樹脂カバー７によって構成されている。金属製芯材６はアルミニウム製形材により形成されており、一側縁には門扉用機能部品Ｆの取付縁６１が形成され、上下端部における他側には横框３の端部が螺子８を用いて固着されている。
【００１１】
金属製芯材６の表面には合成樹脂カバー７が嵌着しており、金属芯材６の表面に被係合溝部６２を形成し、被係合溝部６２に合成樹脂カバー７の内側に形成した係合突部７１を嵌合して両者が一体化される。なお、横框３が取付けられる部分に相当する合成樹脂カバー７には切欠部７２が形成され、横桟３の端部が縦框２の金属芯材６の側面６３に直接当接する。
【００１２】
合成樹脂カバー７は、合成樹脂材料を押出形成したものであり、厚さが約１ｍｍの２層構造を呈している。２層構造の外側がアクリロニトリル・スチレン・アクリレート樹脂（以下、ＡＳＡ樹脂という）に木粉を適宜の割合で配合した合成樹脂材料で形成され、内側がアクリロニトリル・ブタジエン・スチレン樹脂（以下、ＡＢＳ樹脂という）により形成されている。さらに、表面には木目模様が施されている。
【００１３】
門扉用機能部品Ｆの取付縁６１には、図３に示す門扉用機能部品Ｆが取付けられる。図３中（Ａ）の門扉用機能部品Ｆは、錠装置のラッチ機構であり操作レバーＬにより操作可能である。（Ｂ）の門扉用機能部品Ｆは戸当りプレート、（Ｃ）は落し棒装置、（Ｄ）は吊元ヒンジ金具である。これらの門扉用機能部品Ｆは、合成樹脂カバー７を間に介在することなく金属製芯材６の取付縁６１に直接取付けられる。
【００１４】
合成樹脂カバー７の外側表面７３と取付縁６１の外側表面６１１は、略面一となっており、合成樹脂カバー７で被覆されている部分と取付縁６３の間に段差が生じることなく、外観を良好なものとすることができる。
【００１５】
【発明の効果】
本発明門扉用縦框によれば、門扉用機能部品は金属製芯材の取付縁に直接取付けることができるので、門扉用機能部品と金属製芯材の間に合成樹脂カバーが介在せず、門扉用機能部品の取付け位置にズレが生じることがない。また、合成樹脂カバーが金属製芯材と門扉用機能部品に締め付けられて、白化を生じたり、亀裂が生じたりすることがなく、外観を良好なものとすることができる等実施上の効果は多大である。
【図面の簡単な説明】
【図１】本発明門扉用縦框を表す横断面図
【図２】本発明門扉用縦框を表す縦断面図
【図３】本発明門扉用縦框に門扉用機能部品を取付けた状態を表わす横断面図
【図４】本発明門扉用縦框を適用した門扉の全体図
【符号の説明】
１      門扉
２      縦框
６      金属製芯材
７      合成樹脂カバー
６１      取付縁
Ｆ      門扉用機能部品
【図１】
2004257087.tif 000003
【図２】
2004257087.tif 000004
【図３】
2004257087.tif 000005
【図４】
2004257087.tif 000006
(57)【要約】      （修正有）【課題】天井埋込型空調機は、構造上吹出し口が下向きなため、空調機周辺下方向の人体に吹出し風が直接当たり不快であり、吹出し風によって書類等が舞う不便さがある。また、吹出し風の一部を止めたい場合は、化粧パネルをはずして遮風板を化粧パネル上部の吹出し口にはめ込む方法が一般的であり、専門業者を必要とし経費がかかった。【解決の手段】内面が断熱処理１８された可動式の２枚の風向板１３と本体枠１２をすき間シール材Ｂ１１と固定金具１６を介して、天井埋込型空調機１の化粧パネル６の吹出し口８部分に接合する天井埋込型空調機部分風向板を使用する。【選択図】図１
2004257720.tif 000002
【特許請求の範囲】
【請求項１】
内面が断熱処理（１８）された本体枠（１２）の下部に内面が断熱処理（１８）された２枚の風向板（１３）を丁番方式で連結させ本体枠（１２）の上部に固定金具（１６）とすき間シール材Ｂ（１１）を設けた天井埋込型空調機部分風向板
【発明の詳細な説明】
【０００１】
【発明の属する技術分野】
この発明は天井埋込型空調機吹出し風の調節に関するものである。
【０００２】
【従来の技術】
従来より天井埋込型空調機の吹出し風は、構造上水平方向に流れないため不便な面があった。
【０００３】
【発明が解決しようとする課題】
これは次のような欠点があった。
（イ）天井埋込型空調機は構造上吹出し口が下向きであり、吹出し風が下方向に流れる。吹出しルーバーで角度を調節しても、斜め下方向止まりである。そのため空調機の周辺下方向では、吹出し風が人体に直接当り不快になることが多い。また、吹出し風によって書類が舞い不便を感じる。
（ロ）従来より吹出し風を調節する方法として、ルーバーに取り付ける補助風向板が考案されていたが、これは現在使用されている天井埋込型空調機のほとんどのルーバーが、ルーバーモーター付きの連動式であるため、一部分だけの吹出し角度の調節には無理がある。
（ハ）天井埋込型空調機の吹出し口の一部をふさぎたい場合、化粧パネルをはずして化粧パネルの吹出し口上部に、遮風板をはめ込む方法をとっていたため、専門業者が必要になり経費がかかった。
本発明は以上の欠点を解決するためになされたものである。
【０００４】
【課題を解決するための手段】
内面が断熱処理（１８）された本体枠（１２）の下部に、内面が断熱処理（１８）された２枚の風向板（１３）を丁番方式で連結させ、本体枠（１２）の上部に固定金具（１６）とすき間シール材Ｂ（１１）を設ける。
本発明は以上の構成よりなる天井埋込型空調機部分風向板である。
【０００５】
【発明の実施の形態】
以下本発明の実施の形態について説明する。
（イ）内面が断熱処理（１８）された本体枠（１２）の下部に、内面が断熱処理（１８）された２枚の風向板（１３）を丁番方式で連結させる。（図４）（図５）
（ロ）本体粋（１２）の上部に固定金具（１６）とすき間シール材Ｂ（１１）を設ける。（図４）（図５）
本発明は以上の構成よりなっている。
本発明を使用するときは、まず、本体枠（１２）に２枚の風向板（１３）を丁番方式で連結させる。可動式の２枚の風向板（１３）は各々一方が、ネジ付シャフト（１９）、一方が普通のシャフト（２０）になっており、ネジ付シャフト（１９）部分はチョウネジ（１５）で締めつけることにより、風向板（１３）を好みの角度で固定できる。
次に風向板（１３）を連結させた本体枠（１２）を化粧パネル（６）の吹出し口（８）部分に接合させる。このとき化粧パネル（６）の厚み、吹出し口（８）の幅に固定金具（１６）の長さを調節して合わせ、固定金具（１６）の上部は空調機（１）と化粧パネル（６）の接合部にあるすき間シール材Ａ（１０）の部分に引っ掛け、固定金具（１６）の下部は本体粋（１２）に、固定ビス（１７）にて固定し接合させる。本体枠（１２）と風向板（１３）の内面を断熱処理するのは、空調機の冷房運転時に結露するのを防止するものである。
【０００６】
【発明の効果】
本発明を使用することにより、２枚に分かれた風向板と大幅に上下動する風向板の特徴から、こまかい部分の風向調節ができ、天井埋込型空調機の欠点である空調機の周辺下方向の風害を防止できる。また、本発明は取り付け、取り外しが簡単なため誰にでも手軽に利用できる。
【図面の簡単な説明】
【図１】本発明の実施斜視図
【図２】本発明の側面断面図
【図３】本発明の側面拡大断面図
【図４】本発明の正面断面図
【図５】本発明の固定金具部分の拡大断面図
【符号の説明】
１  天井埋込型空調機
２  ファンモーター
３  コンデンサー
４  ファン
５  ルーバー
６  化粧パネル
７  吸込口、フィルター
８  吹出し口
９  天井
１０  すき間シール材Ａ
１１  すき間シール材Ｂ
１２  本体枠
１３  風向板
１４  風向板軸受
１５  チョウネジ
１６  固定金具
１７  固定ビス
１８  断熱材
１９  ネジ付きシャフト
２０  普通のシャフト
【図１】
2004257720.tif 000003
【図２】
2004257720.tif 000004
【図３】
2004257720.tif 000005
【図４】
2004257720.tif 000006
【図５】
2004257720.tif 000007
(57)【要約】【課題】通信装置を用いて遠隔地面談を実現する遠隔地面談システムは、面談をする双方が同様の機材を保有していなければ遠隔地面談を実現できなかった。【解決手段】通信装置を多数保有する団体から遠隔地面談に必要なシステムを貸し出し、テレビ、パソコン等の映像出力表示を持った機械と接続作業までを提供することで、遠隔地面談システムを保有していない場合でも遠隔地面談を行えるようにする。【特許請求の範囲】
【請求項１】
遠隔地面談システムの通信装置を貸出し、遠隔地面談を実現すること
【請求項２】
通信装置の所有者が人員を派遣し、遠隔地面談システムを使用するための設定を行うこと
【発明の詳細な説明】
【０００１】
本件は通信回線を用い、遠隔地にいて離れた者同士が映像、音声による面談、会議を行う遠隔地面談システムのためのビジネスモデルである。
【０００２】
遠隔地面談システムに用いる通信機材（以下通信装置）は、テレビ、パソコン等の映像出力表示を持った機械、パソコン等の映像出力表示を持った機械と接続して使用する。通信装置には、映像取得用のカメラ、映像出力用のビデオ出力端子、音声取得用のマイク、音声出力用の出力端子を備えている。
通信回線との接続のための接続端子を備えている。通信回線を介し、相手先の通信装置から相手の映像、音声を受信しテレビ、パソコン等の映像出力表示を持った機械に映像を表示し音声を再生する。また、相手先の通信装置に対し、カメラから取得した映像、マイクから取得した音声を送信する。
【０００３】
遠隔地面談システムの目的は通信装置をテレビ、パソコン等の映像出力表示を持った機械に接続し、電話回線、インターネット回線等の通信回線を経由し一対に接続することで音声、映像を用いた面談、会議を実現することである。
【現状の課題】
【０００４】
しかし、遠隔地面談システムにはひとつの問題点がある。それは、遠隔地にいる者同士が互いに同じシステムを保有していなければ、音声、映像を用いた面談、会議ができないことにある。
【０００５】
このため、特に初めて面談を行う場合に使用することが出来なかった。
【０００６】
現在、特定の場合をのぞき、一般的には遠隔地の人と面談する場合、人が移動し直接面談する手法をとっている。
【発明の効果】
【０００７】
本件は、上記のような問題点を改善し、どのような場合でも遠隔地面談を実現するための手法である。
【０００８】
本件では、通信装置を多数保有する団体より、使用者に使用の度に通信装置を貸し出す。
そのため、使用者は通信装置を保有する必要が無く、通信装置の保有に関係なく遠隔地面談システムを使用することを可能にする。
【０００９】
まず、使用者は通信装置を多数保有する団体に対して遠隔地面談システムを使用するための申し込みを行う。
【００１０】
通信装置を多数保有する団体は使用者と面談相手先の住所、面談開始日時、面談終了日時に関する情報を使用者より取得する。
【００１１】
通信装置を多数保有する団体は使用者と面談相手先に対し、取得した情報を元に面談開始までに準備が整うように通信装置を発送する。
【００１２】
同時に、通信装置を多数保有する団体は通信装置の接続、設定のための人員を使用者と面談相手先に対し派遣する。
【００１３】
通信装置を多数保有する団体より派遣された人員は、使用者、面談相手先において、配送されてきた通信装置の開封、通信装置とテレビ、パソコン等の映像出力表示を持った機械の接続等遠隔地面談システムを使用するために必要な設定を行い、面談開始時刻までに準備を行う。
【００１４】
面談開始時刻になると、使用者は通信回線を用い、通信装置同士を接続させ、映像と音声を用いた遠隔地面談を行う。
【００１５】
面談終了後、通信装置を多数保有する団体より派遣された人員は通信装置を再び梱包し、通信装置を多数保有する団体へ発送する。
【００１６】
本件を用いることで、誰でも遠隔地にいる人同士で通信回線を通じて映像、音声による面談を可能とする。
【００１７】
従って、本件を用いることで人の移動の発生を最小限に抑えることができる。